(57)【特許請求の範囲】
【請求項１】
トイレットペーパを保持するホルダ本体、
前方へ突出するほぼ三角形の張り出し部分をもち前記ホルダ本体に静止的に取り付けられる張り出し部分付きプレート、
前記トイレットペーパを前記張り出し部分付きプレートの後端部から前記張り出し部分の上面側を経て前記張り出し部分の前方へ送り出す送り出し手段、
前記張り出し部分を前方へ送り出されて来る前記トイレットペーパのペーパ先端部分に対して前記張り出し部分からはみ出た範囲の左右の箇所において上面側から当接して下方へ押しやることにより、前記先端ペーパ部分には下方へ押しやられた左右の垂れ部と該左右の垂れ部の間に押しやられずに残った三角部とが形成されるようになっている突起部材、及び
前記ホルダ本体に静止的に取り付けられ、前記三角部と前記垂れ部とを有して送り出されて来る前記先端ペーパ部分に対して、前記垂れ部にその前方から当接し、この当接に伴い前記垂れ部が前記三角部の下面側に折り畳まれる折り畳み用静止部材、
を有していることを特徴とするトイレットペーパホルダ。
【請求項２】
トイレットペーパがホルダ本体に保持され、ほぼ三角形の張り出し部分を持つ張り出し部分付きプレートが前記ホルダ本体に静止的に取り付けられているトイレットペーパホルダにおけるトイレットペーパ供給方法であって、
前記トイレットペーパを前記張り出し部分付きプレートの後端部から前記張り出し部分の上面側を経て前記張り出し部分の前方へ送り出し、
前記張り出し部分を前方へ送り出されて来る前記トイレットペーパのペーパ先端部分に対して前記張り出し部分からはみ出た範囲の左右の箇所において上面側から突起部材を当接させて当接箇所を下方へ押しやることにより、前記先端ペーパ部分に下方へ押しやられた左右の垂れ部と該左右の垂れ部の間に押しやられずに残った三角部とを形成し、
前記ホルダ本体に静止的に取り付けられた折り畳み用静止部材の方へ、前記三角部と前記垂れ部とを有して送り出されて来る前記先端ペーパ部分に対して、前記垂れ部をその前方から前記折り畳み用静止部材により当接させて、前記垂れ部を前記三角部の下面側に折り畳み、
前記垂れ部を前記三角部の下面側に折り畳んだ状態の先端ペーパ部分を前方へ供給する、
ことを特徴とするトイレットペーパ供給方法。
【発明の詳細な説明】
【０００１】
【発明の属する技術分野】
この発明は、トイレットペーパの先端部が三角形に折り畳まれて出てくるトイレットペーパホルダ及びトイレットペーパ供給方法に関するものである。
【０００２】
従来の技術
従来の一般的なトイレットペーパホルダで使用する時、予めトイレットペーパに設けられているミシン目、或いは、トイレットペーパホルダの上蓋部の先端部で切り取っていた。従って、次に使用する時、前記上蓋を上げて、トイレットペーパの先端部を摘むか、ロールの下部を回転させて先端部を摘んで引き出していた。
【０００３】
この時、ロールにトイレットペーパの先端部が密着して容易に摘むことが出来なかった。
【０００４】
又、体の不自由な人、特に手の不自由な人や、老人にとっては不便を感じていた。
【０００５】
【発明の解決しようとする課題】
本発明は、その欠点をなくする為に、トイレットペーパの先端部が三角形状に折り畳まれて出てくる事を課題として研究を進めた。
【０００６】
【課題で解決する為の手段】
トイレットペーパホルダの上蓋体とトイレットペーパとの間に先端部がホームベース形をしたプレートの中央部にトイレットペーパ送りベルトを回転可能に装着し、前記上蓋部の裏面に前記トイレットペーパ送りベルトと当接する回転可能な押さえローラが設けられている。
【０００７】
該押さえローラの両サイドにハの字状の突起が固着されている。
【０００８】
そこで、前記トイレットペーパ送りベルトを手前方向に回転させると、トイレットペーパの中央部を送りベルトと押さえローラに挟持されながらトイレットペーパの先端部が三角形状に折り畳まれて出てくる事を発見した。
【０００９】
【発明の実施の形態】
図面に従って詳しく説明すると、図１、図２、図３、図４を基に本発明の構成を説明する。トイレットペーパホルダ全体１の本体１０はコの字状になっており、該本体１０を取り付ける為の取り付け材５に取り付け用貫通穴５１が設けられ、ねじ５２で壁５３に固定されている。
【００１０】
該取り付け材５の両側には、トイレットペーパ４の中空芯材４１を貫通する伸縮自在な支持棒４５を支持する為の穴４６、４７を持つ支持部カバー５０及び駆動部カバー６０によりコの字状を形成する。
【００１１】
該支持棒４５の両端中心部には突起４８、４９がそれぞれ設けられ、前記支持穴４６、４７と嵌合し、軸支されている。
【００１２】
前記支持体６０には、これから説明する回転手段Ｒが内蔵されており、押しボタンＢによりＯＮ，ＯＦＦを行う。トイレットペーパホルダ本体１０には、上蓋体３が端部にパイプ状に形成されている中空部３０を軸３１が貫通し、回転可能に軸支されている。
【００１３】
該上蓋体３の裏面３２の中央部には回転可能に押えローラ支持材３３で押えローラ１２（１２ａ，１２ｂ，１２ｃ）が設けられている。該ローラ１２の両側にはハの字状突起３４が固着されている。
【００１４】
前記上蓋体３とトイレットペーパ４の間１４には、ホームベース状の形をした送り出し装置２の送りプレート６に切り欠き部１１を設け、該切り欠き部１１に折り曲げ部１５に駆動軸８を含む回転可能なローラ７（７ａ，７ｂ）に送りベルト９が周接し、図３に示す受け材１６により、図１に示す位置で前記送り出し装置２は受け止められ、前記ローラ７（７ａ，７ｂ）及び駆動軸８は、前記上蓋体３と合うように配設され、前記上蓋体３と送りプレート６の先端より前方下に丸棒状の切り取り手段１３があり、該丸棒３５の上端部にはギザギザの歯３６が固着されている。
【００１５】
本発明は以上のように構成されているので、図５に示す実施例で説明すると、図５（ａ）は、トイレットペーパ４の先端部４０が上蓋体３の内側にある状態を示す。
【００１６】
次に図５（ｂ）は押しボタンスイッチＢを指Ｆで押すと、駆動軸８が手前方向Ａに回転し、送りベルト９が回転する。
【００１７】
トイレットペーパ４は押えローラ１２と該送りベルト９に挟持されながら送り出されて、切り取り手段１３である丸棒３５に当接して、トイレットペーパ４の先端部４０が前記ハの字状突起３４により下方に垂れている状態を示す。
【００１８】
更に押しボタンスイッチＢを指Ｆで押し続けると、図５（ｃ）に示すようにトイレットペーパ４の先端部４０は三角形状Ｔに折り畳まれ出てくる状態を示す。
【００１９】
図６は前記駆動軸８を回転させる為の回転手段を示す一例である。
【００２０】
図６（ａ）は、電気的に駆動させる回転手段で電源Ｅ、モータＭ、減速手段Ｒ及び、押しボタンスイッチＢで構成されている。
【００２１】
図６（ｂ）は、前記駆動軸８を前記電動及び手動で回転させる回転手段を示すもので、該駆動軸８と同軸にあるローラ１７  （１７ａ，１７ｂ）に周接して回転するベルト１９を手前方向Ａに指Ｆで引くと該ローラ１７と同軸にある駆動軸８は回転する。
【００２２】
【発明の効果】
本発明は、以上のような構成であるので、トイレットペーパ４を切り取って使用した後、駆動軸８を回転させると、トイレットペーパ４の先端部４０は三角形状Ｔに折り畳まれて出てくるので、次に使用する時や、次に使用する人の為にトイレットペーパ４の三角形状部Ｔを摘みトイレットペーパ４が引き出し易くなった。従来、ホテルや旅館などでは人手によりトイレットペーパの先端を三角形に折り畳んでいたが、その必要もなくなり、体の不自由な人や老人でも容易にトイレットペーパを使用することが出来、構造を簡単にすることが出来たことにより、コストダウンに役立った。
【００２３】
【図面の簡単な説明】
【図１】この発明の断面図である。
【図２】上蓋部を上げた状態の斜視図である。
【図３】この発明の平面図である。
【図４】この発明の正面図である。
【図５】この発明の実施例を示すものである。
【図６】この発明の駆動軸の回転手段の一例を示すもので、（ａ）は電気的な回転手段を示し、（ｂ）は手動での回転手段を示すものである。
【符号の説明】
１      トイレットペーパホルダ全体
２      送り出し装置全体
３      上蓋体
４      トイレットペーパ
５      取り付け材
６      送りプレート
７      送りローラ
８      送りベルト駆動軸
９      送りベルト
１０    ホルダ本体
１２    押さえローラ
１３    切り取り手段
１６    受け材
１９    手動用ベルト
３３    押さえローラ支持材
３４    ハの字状突起
４５    支持棒
５０    支持部カバー
５１    取り付け用貫通穴
５２    ねじ
６０    駆動部カバー
Ｂ      押しボタン
Ｅ      電源
Ｆ      指
Ｍ      モータ
Ｒ      減速手段
Ｔ      三角形状部
【図１】
0003587293.tif 000002
【図２】
0003587293.tif 000003
【図３】
0003587293.tif 000004
【図４】
0003587293.tif 000005
【図５】
0003587293.tif 000006
【図６】
0003587293.tif 000007